(57)【要約】【課題】  犯罪行為の加害者を特定することが容易となり、犯罪行為の中断により被害者が加害者から逃避することが容易となる、携帯者の身の安全を確保し易い構造の携帯用防犯ブザーを提供する。【解決手段】防犯ブザー本体の内部に、ブザー駆動回路が閉じたとき警報音を発するブザー駆動手段を備えた携帯用防犯ブザーにおいて、前記防犯ブザー本体の外面に、該防犯ブザー本体を外部に取付け可能な取付手段を備えた構成にした。【選択図】  図１
2006244101.tif 000002
【特許請求の範囲】
【請求項１】
防犯ブザー本体の内部に、ブザー駆動回路が閉じたとき警報音を発するブザー駆動手段を備えた携帯用防犯ブザーにおいて、前記防犯ブザー本体の外面に、該防犯ブザー本体を外部に取付け可能な取付手段を備えたことを特徴とする携帯用防犯ブザー。
【請求項２】
前記ブザー駆動手段は、外部への取付け動作に伴いブザー駆動回路が閉じて警報音を発するように構成したことを特徴とする請求項１に記載の携帯用防犯ブザー。
【請求項３】
前記取付手段は、フックであることを特徴とする請求項１または２に記載の携帯用防犯ブザー。
【請求項４】
前記フックは、該フックの自由端に尖端部を有することを特徴とする請求項３に記載の携帯用防犯ブザー。
【請求項５】
前記フックは、前記尖端部近傍に、防犯ブザー本体の外部からの抜け防止のための返し用突片を設けたことを特徴とする請求項３または４に記載の携帯用防犯ブザー。
【請求項６】
前記取付手段は、接着剤層であることを特徴とする請求項１または２に記載の携帯用防犯ブザー。
【請求項７】
前記接着剤層は、粘着剤層及び剥離剤層から成ることを特徴とする請求項６に記載の携帯用防犯ブザー。
【請求項８】
前記剥離剤層は、内面に剥離処理面を有し前記粘着剤層から取外し可能な蓋から形成されることを特徴とする請求項７に記載の携帯用防犯ブザー。
【請求項９】
前記接着剤層は、内部に粘着剤を充填したプラスチック容器又は金属容器から成ることを特徴とする請求項６に記載の携帯用防犯ブザー。
【請求項１０】
前記プラスチック容器又は金属容器は、防犯ブザー本体が外部に押付けられると該容器の外面が破れて粘着剤が破れた箇所から噴出可能に構成したことを特徴とする請求項９に記載の携帯用防犯ブザー。
【請求項１１】
前記プラスチック容器又は金属容器は、該容器の内面の内側に突起部を有し、防犯ブザー本体が外部に押付けられると該容器の外面の内側が前記突起部に接触して該容器の外面が破れるように構成したことを特徴とする請求項１０に記載の携帯用防犯ブザー。
【請求項１２】
前記プラスチック容器又は金属容器の外面に、平面ファスナーのフック部を設けたことを特徴とする請求項９〜１１のいずれかに記載の携帯用防犯ブザー。
【請求項１３】
前記取付手段には、該取付手段の上部が開閉自在な蓋を付設したことを特徴とする請求項１〜６、９〜１２のいずれかに記載の携帯用防犯ブザー。
【請求項１４】
前記蓋は、スライダー及びガイドレールを備えたスライド式開閉蓋であり、該スライダー及びガイドレールのうち一方を前記防犯ブザー本体に配設し、他方を蓋本体に配設したことを特徴とする請求項１３に記載の携帯用防犯ブザー。
【請求項１５】
前記蓋本体は、防犯ブザー本体を装着する保持体から形成されることを特徴とする請求項１４に記載の携帯用防犯ブザー。
【発明の詳細な説明】
【技術分野】
【０００１】
本発明は、携帯用防犯ブザーに関する。
【背景技術】
【０００２】
近年、強盗、暴漢、痴漢などの犯罪行為に遭遇した際に自らの身を守るため、防犯ブザーを携帯するようになってきている。この種の携帯用防犯ブザーの一例は、特許文献１で提案されている。
【０００３】
特許文献１に開示されている携帯用防犯ブザー１は、図５に示すように、ピンなどの回路開放具５３と、該回路開放具が着脱自在に装着されこの回路開放具の引抜きによりブザー駆動回路が閉じて警報音を発するブザー駆動手段５０とを備えている。
【０００４】
このように構成された携帯用防犯ブザー１は、一般的に、一端に鞄、バックなどに吊下げるためのストラップ５４、他端に回路開放具５３の引抜きのためのストラップ５５が夫々取付けられている。そして、ブザー駆動手段５０は、携帯者に危険が差迫ったとき、携帯者が引抜き用ストラップ５５を引張ることによって、回路開放具５３が引抜かれ、ブザー駆動回路が閉じて警報音、即ちブザー音を発するように構成されている。
【０００５】
【特許文献１】実用新案登録第３０９６１１９号
【発明の開示】
【発明が解決しようとする課題】
【０００６】
ところで、上述したように、従来の携帯用防犯ブザーは、鞄、バックなどに吊下げられた防犯ブザー本体に装着された回路開放具を引抜くことにより警報音を発するように構成され、犯罪行為の発生をブザー音によって周囲の第三者に伝えることができるようにしたものであるので、被害者が犯罪行為から逃げるなどの動作中においては、携帯者が引抜き用ストラップを手放さない限り被害者に随伴することになる。従って、ブザー音は、被害者側で大きな音で鳴り続けているとしても、加害者が犯罪行為を中断して犯行現場から離れれば、加害者には何らの物理的な影響を及ぼすものではない。それどころか、そのブザー音が止まれば、加害者が再度被害者に接近することを阻止することはできない。
【０００７】
一方、被害者は通常、犯罪行為から逃げるなどの動作中においては、加害者を特定することにより犯罪行為が為された事実を周囲の第三者に広く且つ確実に知らしめることにより、我が身を守りたいという自然的な心理や要求などが生じる。
【０００８】
他方、加害者側で防犯ブザー本体からのブザー音が発しられているならば、加害者はその防犯ブザー本体を一刻も早く我が身から取外したいという自然的な心理や要求などが働き、取外すのに気を取られ又は防犯ブザー本体が衣服に取り付かれている嫌悪感から、犯罪行為を中断せざるを得ない。
【０００９】
そこで本発明は、上記事情に鑑み創出したもので、犯罪行為の加害者を特定することが容易であり、且つ、犯罪行為の中断により被害者が加害者から逃れ易くすることを課題とし、携帯者が犯行現場から逃れ易く身の安全を確保し易い構造の携帯用防犯ブザーを提供することを目的とする。
【課題を解決するための手段】
【００１０】
上記課題を解決するため、請求項１の本発明は、防犯ブザー本体の内部に、ブザー駆動回路が閉じたとき警報音を発するブザー駆動手段を備えた携帯用防犯ブザーにおいて、前記防犯ブザー本体の外面に、該防犯ブザー本体を外部に取付け可能な取付け手段を備えたことを特徴とする。
【００１１】
請求項２の本発明は、ブザー駆動手段を防犯ブザー本体の外部への取付け動作に伴いブザー駆動回路が閉じて警報音を発するように構成したことを特徴とする。
【００１２】
請求項３の本発明は、取付手段をフックとしたことを特徴とし、請求項４の本発明は、フックの自由端に尖端部を有することを特徴とし、請求項５の本発明は、尖端部近傍に防犯ブザー本体の外部からの抜け防止のための返し用突片を設けたことを特徴とする。
【００１３】
請求項６の本発明は、取付手段を接着剤層としたことを特徴とし、請求項７の本発明は、接着剤層を粘着剤層及び剥離剤層から構成したことを特徴とし、請求項８の本発明は、剥離剤層を内面に剥離処理面を有し粘着剤層から取外し可能な蓋から形成したことを特徴とする。
【００１４】
請求項９の本発明は  接着剤層を内部に粘着剤を充填したプラスチック容器又は金属容器から構成したことを特徴とし、請求項１０の本発明は、プラスチック容器又は金属容器を防犯ブザー本体が外部に押付けられると該容器の外面が破れて粘着剤が破れた箇所から噴出可能に構成したことを特徴とする。
【００１５】
請求項１１の本発明は、プラスチック容器又は金属容器の内面の内側に突起部を有し、防犯ブザー本体が外部に押付けられると該容器の外面の内側が前記突起部に接触して該容器の外面が破れるように構成したことを特徴とし、請求項１２の本発明は、プラスチック容器又は金属容器の外面に平面ファスナーのフック部を設けたことを特徴とする。
【００１６】
請求項１３の本発明は、取付手段には該取付手段の上部が開閉自在な蓋を付設したことを特徴とし、請求項１４の本発明は、蓋をスライダー及びガイドレールを備えたスライド式開閉蓋とし、スライダー及びガイドレールのうち一方を防犯ブザー本体に配設し、他方を蓋本体に配設したことを特徴とする。
【００１７】
請求項１５の本発明は、蓋本体を防犯ブザー本体が装着される保持体から形成したことを特徴とする。
【発明の効果】
【００１８】
本発明によれば、防犯ブザー本体の外面に、防犯ブザー本体を外部に取付け可能な取付手段を備えたので、暴漢、痴漢等の犯罪行為に遭遇した際、携帯者は、防犯ブザー本体を犯罪行為の加害者の衣服等に取付けるという簡単な動作により、即座に加害者を特定し、加害者に確実に心理的なプレッシャーを与えることができる。また、取付けられた防犯ブザー本体を我が身から取外そうとする加害者の反射的な行動により、加害者の犯罪行為は続行されることはなく、中断されることが充分に予想される。これにより、携帯者である被害者は、直ちに犯罪行為から逃避する動作に移行することができるので、犯行現場から逃れ易く身の安全を容易に確保することができる。
【００１９】
ここで、ブザー駆動手段を防犯ブザー本体の外部への取付け動作に伴いブザー駆動回路が閉じて警報音を発するように構成したので、防犯ブザー本体を加害者の衣服等に取付けるという一回の動作により、同時に、防犯ブザー本体からブザー音が発するので、暴漢・痴漢行為中などの緊迫した状況下において、被害者自身の安全は更に容易に確保することができる。また、防犯ブザー本体が取付けられた加害者側でブザー音が発せられるので、加害者自身がブザー音を発しつつ被害者及び犯行現場から立去って行くことは想像し難くなく、その場合、加害者の追跡は容易となる。
【００２０】
ここで、取付手段をフックとしたので、防犯ブザー本体を衣服に引掛けるという簡単な動作により、防犯ブザー本体は加害者に取付けることができる。また、フックの自由端に尖端部を有するので、尖端部が衣服に食込んで引掛け易くなるため、防犯ブザー本体は加害者に容易に取付けることができる。また、尖端部近傍に設けた返し用突片により、いったん取付けられた防犯ブザー本体は衣服から取外し難くすることができる。
【００２１】
また、取付手段を接着剤層としたので、防犯ブザー本体を加害者に押付けるという簡単な動作により、防犯ブザー本体は加害者の衣服等に付着することができる。この場合、加害者を誤認して防犯ブザー本体を付着しても、相手側を傷付ける恐れは少ない。
【００２２】
ここで、接着剤層を粘着剤層及び剥離剤層の二層構造にしたので、防犯ブザー本体は、剥離剤層を取除くことにより衣服等に付着することができる。また、剥離剤層は、内面に剥離処理面を有し粘着剤層から取外し可能な蓋から形成したので、蓋の簡単な取外し動作により容易に取除くことができる。
【００２３】
さらに、接着剤層は内部に粘着剤を充填したプラスチック容器又は金属容器から構成したので、防犯ブザー本体は、押付け動作により抽出される粘着剤を介して衣服等に付着することができる。
【００２４】
ここで、プラスチック容器又は金属容器を防犯ブザー本体が外部に押付けられると該容器の外面が破れて粘着剤が破れた箇所から噴出可能に構成したので、防犯ブザー本体は加害者の衣服等に容易に付着することができる。
【００２５】
この場合、プラスチック容器又は金属容器の内面の内側に突起部を有し、防犯ブザー本体が外部に押付けられと該容器の外面の内側が前記突起部に接触して該容器の外面が破れるように構成したので、防犯ブザー本体は、簡単な構造の粘着剤充填容器を備えたことにより加害者の衣服等に容易に付着することができる。
【００２６】
さらに、プラスチック容器又は金属容器の外面に平面ファスナーのフック部を設けたので、被付着面がループ面を有するセーター等のような衣服や頭髪である場合、防犯ブザー本体は、押付けられるとフック部がループ面に係合することにより、前記接着剤層と相俟ってセーター等や頭髪に確実に係着することができる。
【００２７】
さらに、取付手段には該取付手段の上部が開閉自在な蓋を付設したので、防犯ブザー本体は、使用しないときは取付手段の蓋を閉じて鞄、バック等に入れて携帯し易くし、一方、人通りの少ない場所、満員電車等の犯罪行為に遭遇する可能性が高いと判断した場所に来たとき、或いは携帯者に危険が迫った際、取付手段の蓋を開くだけで外部に取付け可能な構造にした。
【００２８】
ここで、蓋をスライダー及びガイドレールを備えたスライド式開閉蓋とし、スライダー及びガイドレールのうち一方を防犯ブザー本体に配設し、他方を蓋本体に配設したので、携帯者に危険が差迫ったとき、簡単且つ容易に取付手段の蓋を開くことができる。
【００２９】
この場合、蓋本体を防犯ブザー本体が装着される保持体から形成したので、防犯ブザー本体を鞄、バック等の外部表面、或いは携帯電話機の裏面等のような保持体に装着して携帯することができるので、防犯ブザー本体は携帯に便利であり、また、携帯者に危険が差迫ったとき、即座に且つ容易に取付手段の蓋を開くことができる。
【発明を実施するための最良の形態】
【００３０】
本発明の携帯用防犯ブザーの第一の実施形態を図１に基づき説明する。尚、図１は第一の実施形態の断面図を示す。
【００３１】
図１に示す携帯用防犯ブザー１は、引掛け型の防犯ブザーであって、防犯ブザー本体２と、ピンなどの回路解放具３とからなる。
【００３２】
防犯ブザー本体２の表面側には、ブザーための開口部４が設けられ、裏面側には裏板５が取付けられている。裏板５には回路解放具３が着脱自在に装着される貫通孔６が設けられている。防犯ブザー本体２の内部には、電源としてのボタン電池７と、ブザー８を動作させるためのブザー駆動回路９とからなるブザー駆動手段１０が備えられている。
【００３３】
このように構成された携帯用防犯ブザー１では、裏板５の貫通孔６に装着されている回路解放具３が押圧されると、ブザー駆動手段１０は、回路解放具３が挿入されてスイッチ体１１が押圧されることによりブザー駆動回路９が閉じ、即ち、ブザー駆動回路９に電池７の電圧が供給されてブザー音を発するように構成されている。
【００３４】
更に、図１に示す携帯用防犯ブザー１には、フック２０が回路解放具３の頭部全体を覆うように防犯ブザー本体２の裏板５に取付けられている。フック２０は側面視でＳ字形に形成されており、自由端に尖端部２１を有し、その尖端部２１近傍には、返し用突片２２が設けられている。フック２０は防犯ブザー本体２の裏板５と一体に形成されていても良く、また、プラスチック製でも金属製でも良い。さらに、回路解放具３は、頭部が装着方向に対して半径方向に延長部を有するように形成すると有利である。
【００３５】
次に、図１に示す携帯用防犯ブザー１の使用方法を、図２に示す回路ブロック図と共に説明する。
【００３６】
携帯者が犯罪行為に遭遇したとき、フック２０の尖端部２１を加害者の衣服に引掛けると、引掛けられた衣服は裏板５とフック２０の尖端部２１との間に食込む。そして、食込んだ衣服がフック２０の中ほどに到達すると、断面Ｓ字形のフック２０の凸部近辺に配置され貫通孔６に装着された回路開放具３は、食込んだ衣服の厚みにより押付けられる。その際、頭部に半径方向の図示しない延長部を有すれば、回路開放具３が衣服により押付けられる確実性は高くなる。衣服が更に引張られて回路解放具３が押圧され貫通孔６に更に挿入されると、ブザー駆動手段１０のスイッチ体１１が押圧されてブザー駆動回路９に電池７の電圧が供給され、その結果、ブザー音がブザー８から発せられる。
【００３７】
一方、加害者の衣服に食込んで取付けられた防犯ブザー本体２は、返し用突片２２により衣服から容易に取外すことができないので、加害者側でブザー音を発し続ける。
【００３８】
さらに、図１に示す携帯用防犯ブザー１には、後述する本発明の第三の実施形態の場合と同様、図示しないスライド式開閉蓋を付設することができ、その際、蓋本体は防犯ブザー本体２を装着する保持体から形成することができる。
【００３９】
次に、本発明の携帯用防犯ブザーの第二の実施形態を図３に基づき説明する。尚、図３は第二の実施形態の断面図を示す。図３において、前記第一の実施形態
と同一箇所には同一の符号を付す。
【００４０】
図３に示す携帯用防犯ブザー１は、接着型の防犯ブザーであって、防犯ブザー本体２と、ピンなどの回路解放具３とからなる。なお、図３に示す携帯用防犯ブザー１の基本構造は前記第一の実施形態の場合と同一であるので、その説明は省略する。
【００４１】
図３に示す携帯用防犯ブザー１には、防犯ブザー本体２の裏板５に粘着剤層３０が形成されている。粘着剤層３０上には、剥離剤層として、内面に剥離処理面３１を有する蓋３２が被されている。蓋３２の側壁には凸部３３が形成されている。蓋３２は粘着剤層３０から取外し可能に形成されており、携帯者に危険が差迫ったとき、凸部３３を指などで持上げることにより粘着剤層３０から簡単に取除くことができる。さらに、回路解放具３は、頭部が装着方向に対して半径方向に延長部３´を有するように形成すると有利である。
【００４２】
次に、図３に示す携帯用防犯ブザー１の使用方法を、図２に示す回路ブロック図と共に説明する。
【００４３】
携帯者が犯罪行為に遭遇したとき、蓋３２に形成した凸部３３の下部を親指で持上げることにより蓋３２を取外し、防犯ブザー本体２の裏板５を加害者の衣服に押付けると、裏板５に装着された回路解放具３が押付けられる。回路解放具３が押圧されて挿入されると、ブザー駆動手段１０のスイッチ体１１が押圧されてブザー駆動回路９に電池７の電圧が供給され、その結果、ブザー音がブザー８から発せられる。一方、加害者の衣服に押付けられた防犯ブザー本体２は、粘着剤層３０を介して加害者の衣服に付着することができる。
【００４４】
次に、本発明の携帯用防犯ブザーの第三の実施形態を図４に基づき説明する。尚、図４は第三の実施形態の断面図を示す。図４において、前記第一の実施形態と同一箇所には同一の符号を付す。
【００４５】
図４に示す携帯用防犯ブザー１は、前記第二の実施形態と同様、接着型の防犯ブザーであって、防犯ブザー本体２と、ピンなどの回路解放具３とからなる。なお、図４に示す携帯用防犯ブザー１の基本構造は前記第一の実施形態の場合と同一であるので、その説明は省略する。
【００４６】
図４に示す携帯用防犯ブザー１は、防犯ブザー本体２の裏板５に、軟質性の薄肉プラスチック容器４０が裏板５と一体に形成されている。プラスチック容器４０の外面には、平面ファスナーの軟質性のフック部４１が外面と一体に形成されている。プラスチック容器４０の内面の内側には、複数個の硬質性の突起部４２が内面と一体に形成されている。プラスチック容器４０の内部には、粘着剤４３が充填されている。粘着剤４３としては、衣服の布地に強力に接着する用途のもので、速乾性の機能を有するものが有利である。
【００４７】
次に、図４に示す携帯用防犯ブザー１の使用方法を、図２に示す回路ブロック図と共に説明する。
【００４８】
携帯者が犯罪行為に遭遇したとき、防犯ブザー本体２の裏板５を加害者の衣服に押付けると、裏板５に形成されたフック部４１とプラスチック容器４０の外面とが押圧され、プラスチック容器４０の外面はその内側が硬質性の突起部４２の尖端に接触する。
【００４９】
裏板５を衣服に更に押付けると、プラスチック容器４０の外面が突起部４２により破られ、充填された粘着剤４３が破れた複数の箇所から加害者の衣服に向かって噴出し、同時に、裏板５に装着された回路解放具３が押付けられる。回路解放具３が押圧されて貫通孔６に更に挿入されると、ブザー駆動手段１０のスイッチ体１１が押圧されてブザー駆動回路９に電池７の電圧が供給され、その結果、ブザー音がブザー８から発せられる。
【００５０】
一方、加害者の衣服に押付けられた防犯ブザー本体２は、加害者の衣服がセーターの場合、プラスチック容器４０から噴出した粘着剤４３と、フック部４１とセーターのループ面の係合とにより、加害者のセーターや、場合によっては頭髪にも付着することができる。ループ面を有しない衣服の場合、粘着剤４３により、加害者の衣服に付着することができる。粘着剤が強力で速乾性のものを使用すれば、加害者の衣服に付着した防犯ブザー本体２は、容易に取外すことができない。
【００５１】
なお、プラスチック容器４０と裏板５、プラスチック容器４０の外面とフック部４１、プラスチック容器４０の内面と突起部４２がそれぞれ別体に形成されていても良い。また、プラスチック容器４０の代わりに、金属容器でも良い。この場合、軟質性の薄肉金属容器を使用すると有利である。
【００５２】
さらに、図４に示す携帯用防犯ブザー１には、防犯ブザー本体２をスライドしてプラスチック容器４０の上面を全開することができるように、スライド式開閉蓋４５が付設されている（図４(ｂ)参照）。スライド式開閉蓋４５は蓋本体４６と、蓋本体４６と一体に形成されたガイドレール４７とから構成されている。一方、防犯ブザー本体２は側面に、ガイドレール４７に係合してスライド可能なスライダー４４が一体に形成されている。
【００５３】
なお、ガイドレール４７を防犯ブザー本体２に、スライダー４４を蓋本体４６に形成しても良く、蓋本体４６とガイドレール４７、防犯ブザー本体２とスライダー４４が夫々別体に形成されていても良い。また、蓋４５の代わりに、防犯ブザー本体２を装着可能な保持体、例えば、携帯電話機の裏面や鞄・バックの外面にガイドレール又はスライダーを形成したものを利用することもできる。
【図面の簡単な説明】
【００５４】
【図１】本発明の第一実施形態の断面図。
【図２】本発明の第一実施形態の回路ブロック図。
【図３】本発明の第二実施形態の断面図。
【図４】本発明の第三実施形態の断面図。
【図５】従来の携帯用防犯ブザーを示す斜視図。
【符号の説明】
【００５５】
１  …携帯用防犯ブザー
２  …防犯ブザー本体
３  …回路開放具
３  …延長部
４  …開口部
５  …裏板
６  …貫通孔
７  …電池
８  …ブザー
９  …ブザー駆動回路
１０…ブザー駆動手段
１１…スイッチ体
２０…フック
２１…尖端部
２２…返し用突片
３０…粘着剤層
３１…剥離処理面
３２…蓋
３３…凸部
４０…プラスチック容器
４１…フック部
４２…突起部
４３…粘着剤
４４…スライダー
４５…スライド式開閉蓋
４６…蓋本体
４７…ガイドレール
５０…ブザー駆動手段
５３…回路開放具
５４…ストラップ
５５…ストラップ
【図１】
2006244101.tif 000003
【図２】
2006244101.tif 000004
【図３】
2006244101.tif 000005
【図４】
2006244101.tif 000006
【図５】
2006244101.tif 000007